(57)【要約】      （修正有）【課題】ハンガーのフック部に掛架し、商品の出所、品質を表示する商標の表示、商品の開発ポイント、使用ポイント等を立体的に効果的に表示する立体ラベルを提供する。【解決手段】所要厚のシート板を所要の形状に打ち抜き形成し、その表面には、上下に所要の間隔をもって対向する平行な折筋２ａ、２ｂにより区画され、かつフック孔６が開設される天面部３と、その天面部３に対して下方側へ接続する前面部４と、天面部３に対して上方側へ接続する後面部５とから形成され、前面部４には下端縁に下方へ突出する帯状の係合片８が、少なくとも天面部３の上下巾より大きく形成され、帯状の係合片８の先端を、天面部３を中心に前面部４と後面部５の二つ折り時に対応して圧入保持する挟持係合孔が後面部５に開設されてなる。【選択図】図３
0003158570.tif 000002
【実用新案登録請求の範囲】
【請求項１】
所要厚のシート板を所要の形状に打ち抜き形成し、その表面には、上下に所要の間隔をもって対向する平行な折筋により区画され、かつフック孔が開設される天面部と、その天面部に対して下方側へ接続する前面部と、前記天面部に対して上方側へ接続する後面部とから形成され、前記前面部には下端縁に下方へ突出する帯状の係合片が、少なくとも前記天面部の上下巾より大きく形成され、前記帯状の係合片の先端を、前記天面部を中心に前記前面部と後面部の二つ折り時に対応して圧入保持する挟持係合孔が前記後面部に開設されてなるハンガー用立体ラベル。
【請求項２】
前記帯状の係合片は、その付け根の前面部下縁に天面部の折筋と平行な基端折筋が形成され、その基端折筋より下方の先端側に前記天面部の上下巾と略同巾離隔して平行な先端折筋が形成され、前記基端折筋と先端折筋の中間に中間折筋が同じく平行に形成されてなる請求項１のハンガー用立体ラベル。
【請求項３】
前記フック孔にハンガーのフック部が前記天面部を中心に前記前面部と後面部の二つ折り時に内面側から上方に挿入されて、そのフック部の付け根であるハンガーの首部に掛合され、前記前面部の帯状の係合片が前記後面部の挟持係合孔に圧入保持されてなる請求項１のハンガー用立体ラベル。
【請求項４】
前記前面部と後面部は、前記天面部を中心に二つ折り時に、その前面部左側縁と、前面部右側縁と、前面部下縁とが、それぞれ対応する前記後面部の後面部左側縁と、後面部右側縁と、後面部下縁より内側に位置して小面積に形成されてなる請求項１又は請求項２のハンガー用立体ラベル。
【請求項５】
天面部を中心に前記前面部と後面部の二つ折り時に正面側となる前記前面部の外面に商品名、セールスポイントが表示され、天面部の外面にサイズ表示が表示され、天面部を中心に前記前面部と後面部の二つ折り時に背面側に位置する後面部の外面に素材と機能表示、販売者名及び所在地が表示され、かつ、前記前面部により覆われない前記後面部の内面に商品説明表示が表示されてなる請求項１、請求項２、請求項３の何れか一の請求項のハンガー用立体ラベル。
【請求項６】
前記後面部に形成される挟持係合孔は、その左端に開口するバネ形成用左端孔と右端に開口するバネ形成用右端孔に連通されてなる請求項１のハンガー用立体ラベル。
【考案の詳細な説明】
【技術分野】
【０００１】
本考案は、ハンガーのフック部に掛架し、商品の出所、品質を表示する商標の表示、商品の開発ポイント、使用ポイント等を立体的に効果的に表示する立体ラベルに関するものである。
【背景技術】
【０００２】
特許文献１には、縦に細長く形成され、ハンガー１０の連結部１３が挿入される連結部挿入用穴２１と、前記連結部挿入用穴２１の下方でハンガー１０の本体部１１の上端部が挿入される本体上端部挿入用穴２２とが上方部に形成され、連結部挿入用穴２１より上端部に切目２３が形成されているクリーニング用タッグラベルが提案されている。
【０００３】
特許文献２には、上端を中心に前後に二つ折りし、その頂縁に掛合孔１０を開口した二つ折り商品カードを設け、この商品カードをハンガーのフック部に掛合した商品カード付ハンガーが提案されている。
【０００４】
特許文献３には、折目を存して一対のタッグ片を二つ折り・折返し可能に形成すると共に、同タッグ片の表面にはバーコードを表示し、バーコード表示面を内側にして衣服に取付ける状態と、バーコード表示面を外側にしてハンガー本体部と同ハンガー本体部の上端部に連設するフック部との連結部分に対して取付ける状態を選択的に得ることが可能なクリーニング用タッグが提案されている。
【０００５】
特許文献４には、帯状紙片の中心部に設けられたハンガーの吊下用フックを通すための挿通孔と、前記挿通孔を中心に前記帯状紙片の何れか一方の側又は両側に設けられ、衣類用ハンガーに掛けられる衣類のサイズ、広告、案内等の表示を、前記挿通孔を上側にして記載表示した表示部と、前記帯状紙片の両端に設けられ、衣類用ハンガーの中央部下方の凹部内に折り込まれて挿入される掛止用舌部と、から構成されるハンガー用表示ラベル及び衣類用ハンガーが提案されている。
【０００６】
特許文献５には、衣類用ハンガーの吊り下げ部挿通用の孔１７を有する表示札であり、孔１７を貫く折り目線（中央折り目線２１）と、この中央折り目線２１と並んで左右に２本ずつ折り目線（左・右第１，２折り目線２４，２５，２２，２３）を備えたものであり、各折り目線２１〜２５をそれぞれ内側に折り曲げて、断面６角の一角が開放した筒状とし、孔１７にハンガー吊り下げ部８７を通してハンガー肩部８８及びスラックス６５上方を表示札１０により外側から覆い、左・右第１表示片１４、１１は隠れず、上方から視認し易いハンガー取付用表示札が提案されている。
【先行技術文献】
【特許文献】
【０００７】
【特許文献１】実開平６−７２５９９号公報
【特許文献２】実開昭５５−１３５３６号公報
【特許文献３】実開昭６４−１１１９９号公報
【特許文献４】実用新案登録第３１０６６８５号公報
【特許文献５】特開２００５−９９６２７号公報
【考案の概要】
【考案が解決しようとする課題】
【０００８】
特許文献１は、前述のように構成されるものであるから、左右及び前後に動揺することがなく定位置を保持されるものである。そこで、能率良く短時間にハンガーに取り付けることができ、スキャナーによる自動的読み取りも可能である。しかし、ラベルが一枚ものであるので立体性に欠けるものである。
【０００９】
特許文献２は、前述のように構成され、カードは二つ折りされ、頂縁の掛合孔１０をフック部に嵌合し、ハンガーの肩に掛合することができ、商品の特徴的記載の記載面の拡大に寄与するが、カードの下縁がフリーであるためハンガーのフック部から外れて抜け落ちる虞がある。
【００１０】
特許文献３は、前述のように構成され、ハンガー本体部と後面側の中央部の係合片を前面側の中央部の係合孔に嵌入係合するから、ハンガー本体部から外れ落ちないが、下縁の前後が結合するので、立体性に欠けるものである。
【００１１】
特許文献４は、前述のように、ハンガーの吊下用フックを通す挿通孔と、その挿通孔を上側として一方の側又は両側に設けられる衣類のサイズ、広告、案内等の表示部と、衣類用ハンガーの中央部下方の凹部内に折り込まれて挿入される掛止用舌部とから構成されるから、一方の側又は両側に拡大された表示部と、衣類用ハンガーへの確実な取付部を備えるものであるが、取付部である掛止用舌部が重合されて凹部に折り込まれるため、表示ラベルの下半部の立体性に欠けるものである。
【００１２】
特許文献５は、各折り目線２１〜２５をそれぞれ内側に折り曲げて、断面６角の一角が開放した筒状に構成されるものであるから、上方から視認し易いものであるが、ありふれた六角筒であるため、立体形状として新規性と斬新性に欠けるものである。
【００１３】
本考案は、前記特許文献１、２、３、４及び５における上記各欠点をそれぞれ解消し、商品のサイズ、特徴、セールスポイント等の説明性と、外観上の立体性と斬新性を簡易構造・確実な組立により向上させることを目的に案出したものである。
【課題を解決するための手段】
【００１４】
所要厚のシート板を所要の形状に打ち抜き形成し、その表面には、上下に所要の間隔をもって対向する平行な折筋により区画され、かつフック孔が開設される天面部と、その天面部に対して下方側へ接続する前面部と、前記天面部に対して上方側へ接続する後面部とから形成され、前記前面部には下端縁に下方へ突出する帯状の係合片が、少なくとも前記天面部の上下巾より大きく形成され、前記帯状の係合片の先端を、前記天面部を中心に前記前面部と後面部の二つ折り時に対応して圧入保持する挟持係合孔が前記後面部に開設されてなるハンガー用立体ラベルにある。
【００１５】
前記帯状の係合片は、その付け根の前面部下縁に天面部の折筋と平行な基端折筋が形成され、その基端折筋より下方の先端側に前記天面部の上下巾と略同巾離隔して平行な先端折筋が形成され、前記基端折筋と先端折筋の中間に中間折筋が同じく平行に形成されてなるものとしてもよいものである。
【００１６】
前記フック孔にハンガーのフック部が前記天面部を中心に前記前面部と後面部の二つ折り時に、内面側から上方に挿入されて、そのフック部の付け根であるハンガーの首部に掛合され、前記前面部の帯状の係合片が前記後面部の挟持係合孔に圧入保持されてなるものとしてもよいものである。
【００１７】
前記前面部と後面部は、前記天面部を中心に二つ折り時に、その前面部左側縁と、前面部右側縁と、前面部下縁とが、それぞれ対応する前記後面部の後面部左側縁と、後面部右側縁と、後面部下縁より内側に位置して小面積に形成されてなるものとしてもよいものである。
【００１８】
天面部を中心に前記前面部と後面部の二つ折り時に正面側となる前記前面部の外面に商品名、セールスポイントが表示され、天面部の外面にサイズ表示が表示され、天面部を中心に前記前面部と後面部の二つ折り時に背面側に位置する後面部の外面に素材と機能表示、販売者名及び所在地が表示され、かつ、前記前面部により覆われない前記後面部の内面に商品説明表示が表示されてなるものとしてもよいものである。
【００１９】
前記後面部に形成される挟持係合孔は、その左端に開口するバネ形成用左端孔と右端に開口するバネ形成用右端孔に連通されてなるものとしてもよいものである。
【考案の効果】
【００２０】
本考案は、前述のように構成されているので、商品を展示するハンガーの首部に容易に掛合させることができ、前面部下縁の帯状の係合片が後面部の挟持係合孔に圧入保持されるから、ハンガーから脱落することがなく、また、前面部と後面部を互いに平行面に定置することができる。
【００２１】
また、帯状の係合片は中間に中間折筋が形成されるから、ハンガーの首部に掛合された状態において、前面部に前方から押圧力を受けた場合に、帯状の係合片が中間折筋から折曲して押圧力を緩衝し、前面部の変形を防止し、美麗な状態を長く維持することができる。
【００２２】
また、後面部に対して前面部が小面積に形成されるから、後面部の内面に表示した商品説明表示等を正面から視認することができ、前面部の正面側の外面の表示と組み合わせて前後に立体的に視認することができる。
【００２３】
また、前記後面部に形成される挟持係合孔は、帯状の係合片が圧挿入されたとき、バネ形成用左端孔とバネ形成用右端孔とによって湾曲し、その元に戻ろうとするバネ圧で係合片が挟圧されるため連挟持係合孔から帯状の係合片が外れ難くなるものである。
【図面の簡単な説明】
【００２４】
【図１】図１は、本考案のハンガー用立体ラベルの展開表面図である。
【図２】図２は、同じく、本考案のハンガー用立体ラベルの展開裏面図である。
【図３】図３は、同じく、本考案のハンガー用立体ラベルを二つ折りし、係合片を係合孔に挿通前の状態を示す斜視図である。
【図４】図４は、係合孔部分を拡大した拡大部分図である。
【図５】図５は、ハンガー用立体ラベルの係合片を係合孔に挿通した係合状態を示す拡大断面図である。
【図６】図６は、その商品衣類の販売状態の部分拡大斜視図である。
【図７】図７は、ハンガーに掛合し商品衣類の販売状態を示す全体斜視図である。
【考案を実施するための形態】
【００２５】
所要厚のシート板を所要の形状に打ち抜き形成し、その表面には、上下に所要の間隔をもって対向する平行な折筋により区画され、かつフック孔が開設される天面部と、その天面部に対して下方側へ接続する前面部と、前記天面部に対して上方側へ接続する後面部とから形成され、前記前面部には下端縁に下方へ突出する帯状の係合片が、少なくとも前記天面部の上下巾より大きく形成され、前記帯状の係合片の先端を、前記天面部を中心に前記前面部と後面部の二つ折り時に対応して圧入保持する挟持係合孔が前記後面部に開設され、前記帯状の係合片は、その付け根の前面部下縁に天面部の折筋と平行な基端折筋が形成され、その基端折筋より下方の先端側に前記天面部の上下巾と略同巾離隔して平行な先端折筋が形成され、前記基端折筋と先端折筋の中間に中間折筋が同じく平行に形成され、前記前面部と後面部は、前記天面部を中心に二つ折り時に、その前面部左側縁と、前面部右側縁と、前面部下縁とが、それぞれ対応する前記後面部の後面部左側縁と、後面部右側縁と、後面部下縁より内側に位置して小面積に形成され、天面部を中心に前記前面部と後面部の二つ折り時に正面側となる前記前面部の外面に商品名、セールスポイントが表示され、天面部の外面にサイズ表示が表示され、天面部を中心に前記前面部と後面部の二つ折り時に背面側に位置する後面部の外面に素材と機能表示、販売者名及び所在地が表示され、かつ、前記前面部により覆われない前記後面部の内面に商品説明表示が表示され、前記フック孔にハンガーのフック部が前記前面部と後面部の二つ折りした内面側から上方に挿入されて、そのフック部の付け根であるハンガーの首部に掛合され、前記前面部の帯状の係合片が前記後面部の挟持係合孔に圧入保持されてなるハンガー用立体ラベル。
【実施例】
【００２６】
以下、本考案のハンガー用立体ラベルを実施の一例を示す図面により説明すると、実施例のハンガー用立体ラベル１は、図１に示すように、所要厚のシート板を所要の形状に打ち抜き形成し、その表面には、上下に所要の間隔をもって対向する平行な折筋２ａ、２ｂにより区画される天面部３と、その天面部３に対して下方側へ接続する前面部４と、前記天面部３に対して上方側へ接続する後面部５とから形成され、前記天面部３にフック孔６が開設され、天面部３を頂縁に前面部４と後面部５が二つ折りされ、前記フック孔６にハンガー７のフック部７ａが二つ折り内面側から上方に挿入されて、そのフック部７ａの付け根であるハンガー７の首部７ｂに掛け合される。
【００２７】
前記ハンガー用立体ラベル１の前面部４は、二つ折り時に、その前面部左側縁４ａと、前面部右側縁４ｂと、前面部下縁４ｃとが、それぞれ対応する前記後面部５の後面部左側縁５ａと、後面部右側縁５ｂと、後面部下縁５ｃより内側に位置して小面積に形成され、また、前面部４は、前面部下縁４ｃに下方へ突出する帯状の係合片８が、少なくとも前記天面部３の巾より大きく形成され、その付け根の前面部４の前面部下縁４ｃには、天面部３の折筋２ａ、２ｂと平行な基端折筋９が形成され、その基端折筋９より下方の先端側に前記天面部３の巾と略同巾離隔して平行な先端折筋１０が形成され、さらに前記基端折筋９と先端折筋１０の中間に中間折筋１１が同じく平行に形成される。
【００２８】
前記ハンガー用立体ラベル１の後面部５には、その天面部３を中心に二つ折り時に、前記前面部４の基端折筋９を中心に裏側に折曲した係合片８と対向する挟持係合孔１２が形成され、その挟持係合孔１２は、その左端に開口するバネ形成用左端孔１３ａと右端に開口するバネ形成用右端孔１３ｂに連通されている。
【００２９】
前記ハンガー用立体ラベル１が、その天面部３を中心に二つ折り時に、正面となる前面部４の外面には、商品名１４、その商品名１４の上方にセールスポイント１５、前記商品名１４の下方に装飾図形１６が実施の一例として表示される。天面部３の外面の右端寄りにサイズ表示１７が実施の一例として表示される。同じく、前記ハンガー用立体ラベル１が、その天面部３を中心に二つ折り時に、背面に位置する後面部５の外面には、素材と機能表示１８、販売者名及び所在地１９が表示され、同じく、前記ハンガー用立体ラベル１が、その天面部３を中心に二つ折り時に、前面部４により覆われない後面部５の内面には、商品説明表示２０ａ、２０ｂが表示される。
【００３０】
前記ハンガー用立体ラベル１は、前述のように構成されるから、図５に示すように、天面部３を中心に二つ折り、前面部下縁４ｃより下方へ突出する帯状の係合片８を、その基端折筋９より後方へ折曲し、その先端を、前記後面部５の挟持係合孔１２（図４に示す）に拡開して挿通し、後面部５の外面に突出させ、その帯状の係合片８の突出部分を先端折筋１０より上方又は下方へ折曲して立体に組立てることができる。
【００３１】
ハンガー７への装着は、天面部３を中心に二つ折りした内面に差し入れたハンガー７のフック部７ａを天面部３のフック孔６に挿通して外方に引き出し、フック部７ａの付け根であるハンガー７の首部７ｂに掛け合し、その後、前述のように、係合片８を後面部５の挟持係合孔１２（図４に示す）に拡開して挿通し、その後面部５の外面に突出する部分を上方又は下方へ折曲して立体に組立てるものである。
【００３２】
前記帯状の係合片８は、挟持係合孔１２へは、その口縁を押し開いて挿入されるから、両端のバネ形成用左端孔１３ａとバネ形成用右端孔１３ｂにより拡開折曲された分だけ元に戻ろうとする弾力が口縁に与えられ、挿入された係合片８を挟持し、定位置に保持するものである。
【００３３】
また、係合片８の先端折筋１０に挟持係合孔１２の口縁が嵌合して弾圧係合するので確実な定置挟持力が得られる。
【００３４】
また、係合片８は、先端折筋１０と基端折筋９との間に中間折筋１１が形成されているので、ラベル１が図５に示すように、組立てられた状態において、前面部４に押圧力を受けた場合に係合片８が中間折筋１１を中心に屈伸して押圧力を緩衝し、係合片８の後面部５に対する移動の防止と、前面部４の損傷防止に効果があるものである。
【００３５】
前面部右側縁４ｂと、前面部下縁４ｃとが、それぞれ対応する前記後面部５の後面部左側縁５ａと後面部右側縁５ｂと後面部下縁５ｃより内側に位置して小面積に形成されるから、二つ折り立体組立て時に、前面部４の正面の外面の表示と後面部５の正面の内面の表示とが同時に正面から視認することができ、ラベルの記載表示を立体的に観者に認識させ、商品の素材、製法、品質等の商品特徴を購入者に効果的にディスプレイできる。
【産業上の利用可能性】
【００３６】
本考案のハンガー用立体ラベルは、商品の用途、機能、使用方法等を商品に付随して見やすく立体的に表示でき、購入者の選択時の便宜を図ることができる。
【符号の説明】
【００３７】
１  ハンガー用立体ラベル
２ａ  折筋
２ｂ  折筋
３  天面部
４  前面部
４ａ  前面部左側縁
４ｂ  前面部右側縁
４ｃ  前面部下縁
５  後面部
５ａ  後面部左側縁
５ｂ  後面部右側縁
５ｃ  後面部下縁
６  フック孔
７  ハンガー
７ａ  フック部
７ｂ  首部
８  係合片
９  基端折筋
１０  先端折筋
１１  中間折筋
１２  挟持係合孔
１３ａ  バネ形成用左端孔
１３ｂ  バネ形成用右端孔
１４  商品名
１５  セールスポイント
１６  装飾図形
１７  サイズ表示
１８  素材と機能表示
１９  販売者名及び所在地
２０ａ  商品説明表示
２０ｂ  商品説明表示
【図１】
0003158570.tif 000003
【図２】
0003158570.tif 000004
【図３】
0003158570.tif 000005
【図４】
0003158570.tif 000006
【図５】
0003158570.tif 000007
【図６】
0003158570.tif 000008
【図７】
0003158570.tif 000009